(57)【要約】【課題】駆動効率を向上させるプラズマディスプレイ装置、プラズマディスプレイパネルとその駆動装置及び駆動方法を提供する。【解決手段】本発明に係るプラズマディスプレイ装置は、１フレームが発光回数の異なる複数のサブフィールドの組み合わせにより構成され、前記サブフィールドのそれぞれは、リセット期間、アドレス期間、維持期間に分けられて所定の電圧が印加される走査電極、維持電極及びアドレス電極を含むプラズマディスプレイパネルと、前記アドレス期間中に、走査電極にリセット期間の最低電圧よりも高く、且つ、維持期間の基準電圧に同じかそれよりも低い走査基準電圧と、走査基準電圧よりも低い走査パルスとを供給する走査駆動部と、を含む。【選択図】図４
2006293300.tif 000002
【特許請求の範囲】
【請求項１】
１フレームが発光回数の異なる複数のサブフィールドの組み合わせにより構成され、前記サブフィールドのそれぞれは、リセット期間、アドレス期間、維持期間に分けられて所定の電圧が印加される走査電極、維持電極及びアドレス電極を含むプラズマディスプレイパネルと、
前記アドレス期間中に、前記走査電極に前記リセット期間の最低電圧よりも高く、且つ、前記維持期間の基準電圧に同じかそれよりも低い走査基準電圧と、前記走査基準電圧よりも低い走査パルスとを供給する走査駆動部と、を含むことを特徴とするプラズマディスプレイ装置。
【請求項２】
前記走査パルスの電圧は、前記リセット期間の最低電圧よりも低いことを特徴とする請求項１記載のプラズマディスプレイ装置。
【請求項３】
前記１フレームを構成するサブフィールドのアドレス期間中に走査電極に印加される走査基準電圧は、いずれも同じであることを特徴とする請求項１記載のプラズマディスプレイ装置。
【請求項４】
前記１フレームは、アドレス期間中に走査基準電圧の異なるサブフィールドを少なくとも１以上含むことを特徴とする請求項１記載のプラズマディスプレイ装置。
【請求項５】
前記走査基準電圧は、サブフィールドの加重値の大小に応じて調節されることを特徴とする請求項４記載のプラズマディスプレイ装置。
【請求項６】
前記走査基準電圧は、前記サブフィールドの加重値の大小に比例することを特徴とする請求項５記載のプラズマディスプレイ装置。
【請求項７】
前記リセット期間中に、前記走査駆動部は、前記走査電極に立上りランプパルスを含むセットアップ電圧と、立下りランプパルスを含むセットダウン電圧を供給することを特徴とする請求項１〜６のいずれか記載のプラズマディスプレイ装置。
【請求項８】
前記セットアップ電圧は、グランドから始まり、第１の電圧まで垂直状に増加した後、第２の電圧まで漸増することを特徴とする請求項７記載のプラズマディスプレイ装置。
【請求項９】
２番目以降のサブフィールドのうち少なくともいずれかのサブフィールドのリセット期間中に、前記走査駆動部は、前記走査電極に立下りランプパルスを含むセットダウン電圧を供給することを特徴とする請求項１〜６のいずれか記載のプラズマディスプレイ装置。
【請求項１０】
１フレームが発光回数の異なる複数のサブフィールドの組み合わせにより構成され、前記サブフィールドのそれぞれは、リセット期間、アドレス期間、維持期間に分けられて所定の電圧が印加される走査電極、維持電極及びアドレス電極を含むプラズマディスプレイパネルにおいて、
前記アドレス期間中に、前記走査電極に前記リセット期間の最低電圧よりも高く、且つ、前記維持期間の基準電圧に同じかそれよりも低い走査基準電圧と、前記走査基準電圧よりも低い走査パルスが供給されることを特徴とするプラズマディスプレイパネル。
【請求項１１】
１フレームが発光回数の異なる複数のサブフィールドの組み合わせにより構成され、前記サブフィールドのそれぞれは初期化のためのリセット期間、セルを選択するためのアドレス期間、及び選択されたセルの放電を維持するための維持期間に分けられて少なくとも１以上の電極に所定の電圧を印加することにより画像を表示するプラズマディスプレイパネルの駆動装置において、
前記アドレス期間中に、走査電極に前記リセット期間の最低電圧よりも高く、且つ、前記維持期間の基準電圧に同じがそれよりも低い走査基準電圧と、前記走査基準電圧よりも低い走査パルスとを供給する走査駆動部を含むことを特徴とするプラズマディスプレイパネルの駆動装置。
【請求項１２】
１フレームが発光回数の異なる複数のサブフィールドの組み合わせにより構成され、前記サブフィールドのそれぞれは初期化のためのリセット期間、セルを選択するためのアドレス期間、及び選択されたセルの放電を維持するための維持期間に分けられて少なくとも１以上の電極に所定の電圧を印加することにより画像を表現するプラズマディスプレイパネルの駆動方法において、
前記アドレス期間中に、走査電極に前記リセット期間の最低電圧よりも高く、且つ、前記維持期間の基準電圧に同じがそれよりも低い走査基準電圧と、前記走査基準電圧よりも低い走査パルスとを供給する段階を含むことを特徴とするプラズマディスプレイパネルの駆動方法。
【発明の詳細な説明】
【技術分野】
【０００１】
本発明は、プラズマディスプレイ装置、プラズマディスプレイパネルとその駆動装置及び駆動方法に関する。
【背景技術】
【０００２】
一般に、プラズマディスプレイパネルは、前面基板と背面基板との間に形成された隔壁間の空間が１つの単位セルを成すものであり、各セル内にはネオン（Ｎｅ）、ヘリウム（Ｈｅ）またはネオン及びヘリウムの混合気体（Ｎｅ＋Ｈｅ）などの主放電気体と少量のキセノンを含む不活性ガスが充填されている。高周波電圧により放電が発生すると、不活性ガスは真空紫外線(Vacuum Ultraviolet rays)を発生させ、隔壁間に形成された蛍光体を発光させて画像を表現する。このようなプラズマディスプレイパネルは、薄くて軽い構成を採用できるので、次世代表示装置として脚光を浴びている。
【０００３】
図１は、一般的なプラズマディスプレイパネルの構造を示す斜視図である。
【０００４】
図１に示すように、プラズマディスプレイパネルは、画像が表示される表示面としての前面基板１００と、背面を形成する背面基板１１０とが所定の間隔を開けて平行に配置されている。
【０００５】
前面基板１００は、前面ガラス１０１を基地として１つの放電セルで相互放電を起こし且つセルの発光を維持するための走査電極１０２（Ｙ電極）及び維持電極１０３（Ｚ電極）、すなわち、透明なインジウムスズ酸化物（Indium-Tin-Oxide:ＩＴＯ）よりなる透明電極ａと金属材質よりなるバス電極ｂによって構成される走査電極１０２及び維持電極１０３の対を備える。走査電極１０２及び維持電極１０３は、放電電流を制限し、電極対間を絶縁させる１以上の誘電体階１０４によって覆われる。さらに、誘電体階１０４上には放電条件を容易に実現するために酸化マグネシウム（ＭｇＯ）を蒸着した保護層１０５が形成される。
【０００６】
背面基板１１０は、背面ガラス１１１を基地として複数の放電空間、すなわち放電セルを形成するためのストライプタイプ（またはウェル状）の隔壁１１２が平行に配される。さらに、アドレス放電を行い真空紫外線を発生させる複数のアドレス電極１１３（Ｘ電極）が隔壁１１２に対して平行に配置される。背面基板１１０の上面にはアドレス放電時に画像を表示するための可視光を放出するＲ，Ｇ，Ｂ蛍光体１１４が塗布される。アドレス電極１１３と蛍光体１１４との間にはアドレス電極１１３を保護し、蛍光体１１４から放出される可視光線を前面基板１００に反射させる白色誘電体１１５が形成される。
【０００７】
このようなプラズマディスプレイパネルにおける画像の階調を具現する方法は、次図２のようになる。
【０００８】
図２は、従来のプラズマディスプレイパネルの画像階調を具現する方法を示す図である。
【０００９】
図２に示すように、従来のプラズマディスプレイパネルの画像階調(Gray Level)の表現方法によれば、１フレームを発光回数の異なる多くのサブフィールドに分け、さらに各サブフィールドを全セルを初期化するためのリセット期間ＲＰＤ、放電するセルを選択するためのアドレス期間ＡＰＤ、及び放電回数によって階調を具現する維持期間ＳＰＤに分ける。例えば、２５６階調で画像を表示しようとする場合、１／６０秒にあたるフレーム期間１６．６７ｍｓは８つのサブフィールドＳＦ１〜ＳＦ８に分けられ、さらに８つのサブフィールドＳＦ１〜ＳＦ８のそれぞれはリセット期間、アドレス期間及び維持期間に分けられる。
【００１０】
各サブフィールドのリセット期間及びアドレス期間は、各サブフィールドごとに同一である。放電するセルを選択するためのアドレス放電は、アドレス電極と走査電極である透明電極との電圧差によって起こる。維持期間は、各サブフィールドにおいて２ｎ（ただし、ｎ＝０，１，２，３，４，５，６，７）の割合で増加する。このように各サブフィールドにおいて維持期間が変わるので、各サブフィールドの維持期間、すなわち維持放電回数を調節することで画像の階調を表現するようになる。このようなプラズマディスプレイパネルの駆動波形を説明すると、次の図３のようになる。
【００１１】
図３は、従来のプラズマディスプレイパネルの駆動波形を示す図である。
【００１２】
図３に示すように、従来のプラズマディスプレイパネルは、全セルを初期化するためのリセット区間、放電するセルを選択するためのアドレス期間、及び選択されたセルの放電を維持するための維持期間に分けられて駆動される。
【００１３】
リセット区間において、セットアップ期間には全走査電極に立上りランプ波形が同時に印加される。この立上りランプ波形により、全画面の放電セル内には微弱な暗放電(Dark Discharge)が起こる。このセットアップ放電により、アドレス電極と維持電極上には正の壁電荷が蓄積され、走査電極上には負の壁電荷が蓄積される。
【００１４】
セットダウン期間には、立上りランプ波形が供給された後、立上りランプ波形のピーク電圧よりも低い正の電圧から下がり始めグランドＧＮＤレベル以下の特定電圧レベルまで下がる立下りランプ波形が、セルら内で微弱な消去放電を起こすことにより、走査電極に形成された余剰壁電荷を十分に消去させる。
【００１５】
このセットダウン放電により、安定したアドレス放電を生じるに足る壁電荷がセル内に均一に残留する。
【００１６】
アドレス期間では、負の走査Ｓｃａｎ信号が走査電極に順次に印加されると共に、走査信号に同期してアドレス電極に正のデータdａtａ信号が印加される。この走査信号とデータ信号との電圧差とリセット区間で生成された壁電圧とが加えられることにより、データ信号が印加される放電セル内ではアドレス放電が発生する。アドレス放電によって選択されたセル内には、維持電圧Ｖｓの印加時に放電が発生するに足る壁電荷が形成される。維持電極には、セットダウン期間とアドレス期間中に走査電極との電圧差を減らして走査電極との間で生じる誤放電を抑えるために、正の電圧Ｖｚｂが供給される。
【００１７】
維持期間では、走査電極と維持電極に維持信号ｓｕｓが交互に印加される。アドレス放電によって選択されたセルでは、セル内の壁電圧と維持信号が加えられることにより、各維持信号が印加される度に走査電極と維持電極との間で維持放電、すなわち表示放電が起こる。
【００１８】
かくして、１サブフィールドにおけるプラズマディスプレイパネルの駆動プロセスが完了する。
【００１９】
ところが、プラズマディスプレイパネルの精巧な放電メカニズムによれば、このような１サブフィールドにおけるプラズマディスプレイパネルの駆動プロセスは各種の問題点を有している。以下では、特に、アドレス期間における問題点について説明する。
【００２０】
図３に示すように、従来は、通常、各サブフィールドのアドレス期間中に走査電極に印加される走査基準電圧を、グランドレベルまたはこれより高い正の電圧レベルに調整し、しかも全サブフィールドにおける走査基準電圧を固定レベルに保持した。
【００２１】
しかし、このように走査基準電圧のレベルを正の電圧に設定することから、アドレス電極に印加されるデータパルスの電圧レベルの上昇が必要となり、これにより、プラズマディスプレイパネルの電力消費量が増えるほか、データドライバＩＣの高耐電圧特性が要求され、その結果、駆動マージンが狭くなるという不具合がある。
【発明の開示】
【発明が解決しようとする課題】
【００２２】
したがって、本発明は、上記事情に鑑みてなされたものであり、その目的は、駆動効率を向上させるプラズマディスプレイ装置、プラズマディスプレイパネルとその駆動装置及び駆動方法を提供することにある。
【課題を解決するための手段】
【００２３】
本発明に係るプラズマディスプレイ装置は、１フレームが発光回数の異なる複数のサブフィールドの組み合わせにより構成され、サブフィールドのそれぞれは、リセット期間、アドレス期間、維持期間に分けられて所定の電圧が印加される走査電極、維持電極及びアドレス電極を含むプラズマディスプレイパネルと、アドレス期間中に、走査電極にリセット期間の最低電圧よりも高く、且つ、維持期間の基準電圧に同じかそれよりも低い走査基準電圧と、走査基準電圧よりも低い走査パルスとを供給する走査駆動部と、を含むことを特徴とする。
【００２４】
走査パルスの電圧は、前記リセット期間の最低電圧よりも低いことを特徴とする
【００２５】
１フレームを構成するサブフィールドの走査基準電圧は、いずれも同じであることを特徴とする。
【００２６】
１フレームは、走査基準電圧の異なるサブフィールドを少なくとも１以上含むことを特徴とする。
【００２７】
走査基準電圧は、サブフィールドの加重値の大小に応じて調節されることを特徴とする。
【００２８】
走査基準電圧は、前記サブフィールドの加重値の大小に比例することを特徴とする。
【００２９】
また、リセット期間中に、走査駆動部は、走査電極に立上りランプパルスを含むセットアップ電圧と、立下りランプパルスを含むセットダウン電圧を供給することを特徴とする。
【００３０】
セットアップ電圧は、グランドから始まり、第１の電圧まで垂直状に増加した後、第２の電圧まで漸増することを特徴とする。
【００３１】
２番目以降のサブフィールドのうち少なくともいずれかのサブフィールドのリセット期間中に、走査駆動部は、走査電極に立下りランプパルスを含むセットダウン電圧を供給することを特徴とする。
【００３２】
本発明に係るプラズマディスプレイ装置の駆動方法は、１フレームが発光回数の異なる複数のサブフィールドの組み合わせにより構成され、サブフィールドのそれぞれは初期化のためのリセット期間、セルを選択するためのアドレス期間、及び選択されたセルの放電を維持するための維持期間に分けられて少なくとも１以上の電極に所定の電圧を印加することにより画像を表現するプラズマディスプレイパネルの駆動方法において、前記アドレス期間中に、走査電極にリセット期間の最低電圧よりも高く、且つ、維持期間の基準電圧に同じがそれよりも低い走査基準電圧と、走査基準電圧よりも低い走査パルスとを供給する段階を含むことを特徴とする。
【発明の効果】
【００３３】
本発明は、アドレス期間中に走査電極に印加される走査基準電圧のレベルを調整してデータパルスのレベルを低めることにより、データドライバＩＣに要求される高耐電圧の要求特性を緩和し、さらに駆動効率を向上させることができる。
【発明を実施するための最良の形態】
【００３４】
以下、本発明による具体的な実施例を添付図を参照して説明する。
【００３５】
図４は、本発明の第１の実施例に係るプラズマディスプレイ装置を示す図である。
【００３６】
図４に示すように、本発明の第１の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１以上のサブフィールドの組み合わせによりフレームよりなる画像を表現するプラズマディスプレイパネル４００と、プラズマディスプレイパネル４００の背面パネル（図示せず）に形成されたアドレス電極Ｘ１〜Ｘｍにデータを供給するデータ駆動部４２と、走査ラインを選択するために走査電極Ｙ１〜Ｙｎにリセット期間の最低電圧−Ｖｓｄよりも高く、且つ、維持期間の基準電圧ＧＮＤに同じかそれよりも低い走査基準電圧−Ｖｓｃと走査基準電圧−Ｖｓｃよりも低い走査パルス−Ｖｙ−Ｖｓｃを含む電圧とを印加して走査電極Ｙ１〜Ｙｎを駆動する走査駆動部４３と、共通電極である維持電極Ｚを駆動する維持駆動部４４と、各駆動部４２，４３，４４を制御するタイミング制御部（タイミング制御部）４１と、各駆動部４２，４３，４４に駆動電圧を供給する駆動電圧発生部４５と、を備える。
【００３７】
以下、本発明に係るプラズマ表示装置の各構成要素の機能及び作用を詳しく説明する。
【００３８】
先ず、プラズマディスプレイパネル４００は、前面パネル（図示せず）と背面パネル（図示せず）が所定の間隔を開けて配置されており、前面パネルには多数の電極、例えば走査電極Ｙ１〜Ｙｎ及び維持電極Ｚが対をなして配設されており、背面パネルには走査電極Ｙ１〜Ｙｎ及び維持電極Ｚと交差するアドレス電極Ｘ１〜Ｘｍが配設されている。
【００３９】
データ駆動部４２は、図示しない逆γ補正回路、誤差拡散回路などによって逆γ補正及び誤差拡散された後、サブフィールドマッピング回路により既に設定されたサブフィールドパターンにマッピングされたデータが供給される。このデータ駆動部４２は、タイミング制御部４１の制御下でデータをサンプリングしてラッチした後、そのデータをアドレス電極Ｘ１〜Ｘｍに供給する。
【００４０】
走査駆動部４３は、タイミング制御部４１の制御下でリセット期間中にの全画面を初期化するために走査電極Ｙ１〜Ｙｎに次第に立ち上がる立上りパルスまたは次第に立ち下がる立下りパルスのうち少なくともどちらか一方を含むリセット波形を印加する。
【００４１】
また、走査駆動部４３は、リセット波形が走査電極Ｙ１〜Ｙｎに供給された後、アドレス期間中に、走査ラインを選択するために走査電極Ｙ１〜Ｙｎにリセット期間の最低電圧−Ｖｓｄよりも高く、且つ、維持期間の基準電圧ＧＮＤに同じかそれよりも低い走査基準電圧−Ｖｓｃと走査基準電圧−Ｖｓｃよりも低い走査パルス−Ｖｙ−Ｖｓｃを供給する。
【００４２】
また、走査駆動部４３は、維持期間中にアドレス期間で選択されたセルで維持放電を起こさせる維持パルスを走査電極Ｙ１〜Ｙｎに供給する。
【００４３】
維持駆動部４４は、タイミング制御部４１の制御下でリセット期間における少なくとも所定の期間中に正のＺ−バイアス電圧Ｖｚｂを維持電極Ｚに供給した後、維持期間中に走査駆動部４３と交互に動作して維持パルスを維持電極Ｚに供給する。
【００４４】
タイミング制御部４１は、垂直／水平同期信号を入力されて各駆動部に必要なタイミング制御信号ＣＴＲＸ、ＣＴＲＹ、ＣＴＲＺを発生し、そのタイミング制御信号ＣＴＲＸ、ＣＴＲＹ、ＣＴＲＺを該当駆動部４２，４３，４４に供給することで各駆動部４２，４３，４４を制御する。データ駆動部４２に印加されるタイミング制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査駆動部４３に印加されるタイミング制御信号ＣＴＲＹには、走査駆動部４３内のエネルギー回収回路と駆動スィッチ素子のＯＮ／ＯＦＦタイムを制御するためのスィッチ制御信号が含まれる。維持駆動部４４に印加されるタイミング制御信号ＣＴＲＺには、維持駆動部４４内のエネルギー回収回路と駆動スィッチ素子のＯＮ／ＯＦＦタイムを制御するためのスィッチ制御信号が含まれる。
【００４５】
駆動電圧発生部４５は、維持電圧Ｖｓ、セットアップ電圧Ｖｓt、Ｚ−バイアス電圧Ｖｚｂ、データ電圧Ｖａ、セットダウン電圧−Ｖｓｄ、走査電圧−Ｖｙ、走査基準電圧−Ｖｓｃなどを含む、各駆動部４２，４３，４４に要される各種駆動電圧を発生する。このような駆動電圧は放電ガスの組成や放電セル構造によって変わることができる。
【００４６】
以下、図５〜図８を参照して本発明の第１の実施例に係るプラズマディスプレイ装置の作動原理を詳しく説明する。
【００４７】
図５〜図８に示すように、本発明の第１の実施例に係るプラズマディスプレイ装置は、全セルを初期化するためのリセット期間、放電するセルを選択するためのアドレス期間、及び選択されたセルの放電を維持するための維持期間に分けられて駆動される。
【００４８】
一方、本発明の特徴的な事項は、アドレス期間中に走査電極Ｙ１〜Ｙｎに印加される電圧にある。すなわち、アドレス期間中に、走査電極Ｙ１〜Ｙｎに、リセット期間の最低電圧−Ｖｓｄよりも高く、且つ、維持期間の基準電圧ＧＮＤに同じかそれよりも低い走査基準電圧−Ｖｓｃと走査基準電圧−Ｖｓｃよりも低い走査パルス−Ｖｙ−Ｖｓｃを供給することにその特徴がある。
【００４９】
以下、各期間別に印加される電圧とその機能を詳しく説明する。
【００５０】
先ず、リセット期間において、セットアップ期間には、全走査電極Ｙ１〜Ｙｎに立上りランプ波形が同時に印加される。この立上りランプ波形により、全画面の放電セル内には微弱な暗放電(Dark Discharge)が起こる。このセットアップ放電により、アドレス電極Ｘ１〜Ｘｍと維持電極Ｚ上には正の壁電荷が蓄積され、走査電極Ｙ１〜Ｙｎ上には負の壁電荷が蓄積される。
【００５１】
次いで、立下りランプ電圧が印加されるセットダウン期間において、アドレス電極Ｘ１〜Ｘｍの正の壁電荷はそのまま維持するが、維持電極Ｚと走査電極Ｙ１〜Ｙｎとの間で生じる放電により維持電極Ｚの正の壁電荷が消去され、走査電極Ｙ１〜Ｙｎに蓄積されていた多量の負の電荷が維持電極Ｚと走査電極Ｙ１〜Ｙｎとに割り当てられる。
【００５２】
このセットダウン放電により、安定したアドレス放電を生じるに足る壁電荷がセル内に均一に残留する。
【００５３】
併せて、壁電荷を適正レベルまで減らすために、セットダウン期間中に維持電極Ｚには正のＺ−バイアス電圧Ｖｚｂが印加される。正のＺ−バイアス電圧Ｖｚｂが印加される維持電極Ｚに比べ、立下りランプ電圧が印加される走査電極Ｙ１〜Ｙｎが相対的に低い電圧レベルを有することになり、すなわちセットアップ期間に比べて極性が変わり、このため、セットアップ期間に蓄積された壁電荷が適正レベルまで消去される。
【００５４】
次に、アドレス期間では、アドレス電極Ｘ１〜Ｘｍに正のデータパルス電圧Ｖａが印加され、走査電極Ｙ１〜Ｙｎに走査基準電圧−Ｖｓｃから下がる走査パルス電圧−Ｖｙ−Ｖｓｃが同期して印加されると、アドレス電極Ｘ１〜Ｘｍと走査電極Ｙ１〜Ｙｎ間の電圧差Ｖａ+Ｖｙ+Ｖｓcと、リセット期間中に形成された壁電荷が原因でアドレス電極Ｘ１〜Ｘｍと走査電極Ｙ１〜Ｙｎ間で形成される壁電圧Ｖｗとが加えられることにより、アドレス放電が発生する。
【００５５】
このとき、走査電極Ｙ１〜Ｙｎに印加される走査基準電圧−Ｖｓｃのレベルをリセット期間の最低電圧−Ｖｓｄよりも高く、且つ、維持期間の基準電圧ＧＮＤに同じかそれより低く調整し、走査パルスの最低値電位−Ｖｙ−Ｖｓｃを走査基準電圧−Ｖｓｃ及びリセット期間の最低電圧−Ｖｓｄよりも低く設定する、これにより正のデータパルスＶａのレベルを低めることができる。
【００５６】
すなわち、走査基準電圧−Ｖｓｃのレベルを下げ、これによりデータパルスＶａ長を短く設定することにより、低電圧データ駆動を可能とするほか、データドライバＩＣの高耐電圧の要求特性を緩和することができる。
【００５７】
一方、図５〜図８に示すように、好ましくは、走査基準電圧−Ｖｓｃは１フレームを構成する全サブフィールドにわたって同一に設定する。
【００５８】
このように全サブフィールドにおける走査基準電圧−Ｖｓｃのレベルを同一に設定することにより、プラズマ表示装置の製造コストを節減する。
【００５９】
また、図６及び図８に示すように、好ましくは、２番目以降のサブフィールドのうち少なくともいずれかのサブフィールドのリセット期間中に走査電極Ｙ１〜Ｙｎに印加されるリセット波形として立下りランプパルスを印加する。
【００６０】
このようにリセット波形として立下りランプパルスを用いることにより、プラズマ表示装置のコントラスト比を向上させる。すなわち、２番目以降のサブフィールドにおいては、放電空間における壁電荷の分布が比較的安定していることを考慮に入れ、強放電を引き起こす可能性がある立上りランプパルスの使用をなるべく抑制することにより、プラズマ表示装置のコントラスト比を向上させる。
【００６１】
一方、維持電極Ｚには、セットダウン期間とアドレス期間中に、走査電極Ｙ１〜Ｙｎとの電圧差を減らして走査電極Ｙ１〜Ｙｎとの間で生じる誤放電を抑えるために、正のＺ−バイアス電圧Ｖｚｂが供給される。
【００６２】
次に、維持期間には、走査電極Ｙ１〜Ｙｎと維持電極Ｚに維持基準電圧ＧＮＤから維持電圧Ｖｓに上がる維持パルスが交互に印加される。アドレス放電によって選択されたセルでは、セル内の壁電圧と維持パルスが加えられることにより、各維持パルスが印加される度に走査電極Ｙ１〜Ｙｎと維持電極Ｚとの間で維持放電、すなわち表示放電が起こる。
【００６３】
かくして、１サブフィールドにおける本発明の第１の実施例に係るプラズマディスプレイ装置の駆動プロセスが完了する。
【００６４】
本発明の第１の実施例に係るプラズマディスプレイ装置によれば、上記の如くアドレス期間中に走査電極に印加される走査基準電圧のレベルを調整してデータパルスのレベルを低めることにより、駆動効率を向上させることができる。
【００６５】
図９は、本発明の第２の実施例に係るプラズマディスプレイ装置を示す図である。
【００６６】
図９に示すように、本発明の第２の実施例に係るプラズマディスプレイ装置は、リセット期間、アドレス期間及び維持期間にアドレス電極Ｘ１〜Ｘｍ、走査電極Ｙ１〜Ｙｎ及び維持電極Ｚに駆動パルスが印加される少なくとも１以上のサブフィールドの組み合わせによりフレームよりなる画像を表現するプラズマディスプレイパネル９００と、プラズマディスプレイパネル９００の背面パネル（図示せず）に形成されたアドレス電極Ｘ１〜Ｘｍにデータを供給するデータ駆動部９２と、サブフィールドに応じてその大小が調節された走査基準電圧−Ｖｓｃと走査基準電圧−Ｖｓｃよりも低い走査パルス−Ｖｙ−Ｖｓｃを含む電圧とを印加して走査電極Ｙ１〜Ｙｎを駆動する走査駆動部９３と、共通電極である維持電極Ｚを駆動する維持駆動部９４と、各駆動部９２，９３，９４を制御するタイミング制御部９１と、各駆動部９２，９３，９４に駆動電圧を供給する駆動電圧発生部９５と、を備える。
【００６７】
以下、本発明に係るプラズマ表示装置の各構成要素の機能及び作用を詳しく説明する。
【００６８】
先ず、プラズマディスプレイパネル９００は、前面パネル（図示せず）と背面パネル（図示せず）が所定の間隔を開けて配置されており、前面パネルには多数の電極、例えば走査電極Ｙ１〜Ｙｎ及び維持電極Ｚが対をなして配設されており、背面パネルには走査電極Ｙ１〜Ｙｎ及び維持電極Ｚと交差するアドレス電極Ｘ１〜Ｘｍが配設されている。
【００６９】
データ駆動部９２は、図示しない逆γ補正回路、誤差拡散回路などによって逆γ補正及び誤差拡散された後、サブフィールドマッピング回路により予め設定されたサブフィールドパターンにマッピングされたデータが供給される。このデータ駆動部９２は、タイミング制御部９１の制御下でデータをサンプリングしてラッチした後、そのデータをアドレス電極Ｘ１〜Ｘｍに供給する。
【００７０】
走査駆動部９３は、タイミング制御部９１の制御下でリセット期間中にの全画面を初期化するために走査電極Ｙ１〜Ｙｎに次第に立ち上がる立上りパルスまたは次第に立ち下がる立下りパルスのうち少なくともどちらか一方を含むリセット波形を印加する。
【００７１】
また、走査駆動部９３は、リセット波形が走査電極Ｙ１〜Ｙｎに供給された後、アドレス期間中に、走査ラインを選択するために走査電極Ｙ１〜Ｙｎにリセット期間の最低電圧−Ｖｓｄよりも高く、且つ、維持期間の基準電圧ＧＮＤに同じかそれよりも低い走査基準電圧−Ｖｓｃ１〜−Ｖｓｃｍと走査基準電圧−Ｖｓｃ１〜−Ｖｓｃｍよりも低い走査パルスとを供給する。このとき、走査電極Ｙ１〜Ｙｎに印加される走査基準電圧−Ｖｓｃ１〜−Ｖｓｃｍのレベルがサブフィールドに応じて調節されることに本発明の特徴があり、これについては図１０〜１５を参照して後述する。
【００７２】
また、走査駆動部９３は、維持期間中にアドレス期間で選択されたセルで維持放電を起こさせる維持パルスを走査電極Ｙ１〜Ｙｎに供給する。
【００７３】
維持駆動部９４は、タイミング制御部９１の制御下でリセット期間における少なくとも所定の期間中に正のＺ−バイアス電圧Ｖｚｂを維持電極Ｚに供給した後、維持期間中に走査駆動部９３と交互に動作して維持パルスを維持電極Ｚに供給する。
【００７４】
タイミング制御部９１は、垂直／水平同期信号を入力されて各駆動部に必要なタイミング制御信号ＣＴＲＸ、ＣＴＲＹ、ＣＴＲＺを発生し、そのタイミング制御信号ＣＴＲＸ、ＣＴＲＹ、ＣＴＲＺを該当駆動部９２，９３，９４に供給することで各駆動部９２、９３、９４を制御する。データ駆動部９２に印加されるタイミング制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査駆動部９３に印加されるタイミング制御信号ＣＴＲＹには、走査駆動部９３内のエネルギー回収回路と駆動スィッチ素子のＯＮ／ＯＦＦタイムを制御するためのスィッチ制御信号が含まれる。維持駆動部９４に印加されるタイミング制御信号ＣＴＲＺには、維持駆動部９４内のエネルギー回収回路と駆動スィッチ素子のＯＮ／ＯＦＦタイムを制御するためのスィッチ制御信号が含まれる。
【００７５】
駆動電圧発生部９５は、維持電圧Ｖｓ、セットアップ電圧Ｖｓt、Ｚ−バイアス電圧Ｖｚｂ、データ電圧Ｖａ、セットダウン電圧−Ｖｓｄ、走査電圧−Ｖｙ、走査基準電圧−Ｖｓｃ１~−Ｖｓｃｍなどを含む、各駆動部９２，９３，９４に要される各種駆動電圧を発生する。このような駆動電圧は放電ガスの組成や放電セル構造によって変わることができる。
【００７６】
以下、図１０〜図１５を参照して本発明の第２の実施例に係るプラズマディスプレイ装置の作動原理を詳しく説明する。
【００７７】
図１０〜１５に示すように、本発明の第２の実施例に係るプラズマディスプレイ装置は、全セルを初期化するためのリセット期間、放電するセルを選択するためのアドレス期間、及び選択されたセルの放電を維持するための維持期間に分けられて駆動される。
【００７８】
一方、本発明の特徴的な事項は、アドレス期間中に走査電極Ｙ１〜Ｙｎに印加される電圧にある。すなわち、アドレス期間中に、走査電極Ｙ１〜Ｙｎに、リセット期間の最低電圧−Ｖｓｄよりも高く、且つ、維持期間の基準電圧ＧＮＤに同じかそれよりも低い走査基準電圧−Ｖｓｃ１〜−Ｖｓｃｍと走査基準電圧−Ｖｓｃ１〜−Ｖｓｃｍよりも低い走査パルスとを供給する一方、サブフィールドに応じて走査基準電圧−Ｖｓｃ１〜−Ｖｓｃｍのレベルが調節されることにその特徴がある。
【００７９】
以下、各期間別に印加される電圧とその機能を詳しく説明する。
【００８０】
先ず、リセット期間において、セットアップ期間には、全走査電極Ｙ１〜Ｙｎに立上りランプ波形が同時に印加される。この立上りランプ波形により、全画面の放電セル内には微弱な暗放電が起こる。このセットアップ放電により、アドレス電極Ｘ１〜Ｘｍと維持電極Ｚ上には正の壁電荷が蓄積され、走査電極Ｙ１〜Ｙｎ上には負の壁電荷が蓄積される。
【００８１】
次いで、立下りランプ電圧が印加されるセットダウン期間において、アドレス電極Ｘ１〜Ｘｍの正の壁電荷はそのまま維持するが、維持電極Ｚと走査電極Ｙ１〜Ｙｎとの間で生じる放電により、維持電極Ｚの正の壁電荷が消去され、走査電極Ｙ１〜Ｙｎに蓄積されていた多量の負の電荷が維持電極Ｚと走査電極Ｙ１〜Ｙｎとに割り当てられる。
【００８２】
このセットダウン放電により、安定したアドレス放電を生じるに足る壁電荷がセル内に均一に残留する。
【００８３】
併せて、壁電荷を適正レベルまで減らすために、セットダウン期間中に維持電極Ｚには正のＺ−バイアス電圧Ｖｚｂが印加される。正のＺ−バイアス電圧Ｖｚｂが印加される維持電極Ｚに比べ、立下りランプ電圧が印加される走査電極Ｙ１〜Ｙｎが相対的に低い電圧レベルを有することになり、すなわちセットアップ期間に比べて極性が変わり、このため、セットアップ期間に蓄積された壁電荷が適正レベルまで消去される。
【００８４】
次に、アドレス期間では、アドレス電極Ｘ１〜Ｘｍに正のデータパルス電圧Ｖａが印加され、走査電極Ｙ１〜Ｙｎに走査基準電圧−Ｖｓｃ１〜−Ｖｓｃｍから下がる走査パルス電圧−Ｖｙ−Ｖｓｃ１〜−Ｖｙ−Ｖｓｃｍが同期して印加されると、アドレス電極Ｘ１〜Ｘｍと走査電極Ｙ１〜Ｙｎ間の電圧差と、リセット期間中に形成された壁電荷が原因でアドレス電極Ｘ１〜Ｘｍと走査電極Ｙ１〜Ｙｎ間で形成される壁電圧とが加えられることにより、アドレス放電が発生する。
【００８５】
このとき、走査電極Ｙ１〜Ｙｎに印加される走査基準電圧−Ｖｓｃ１〜−Ｖｓｃｍのレベルをリセット期間の最低電圧−Ｖｓｄよりも高く、且つ、維持期間の基準電圧ＧＮＤに同じかそれより低く調整し、サブフィールドに応じて走査基準電圧−Ｖｓｃ１〜−Ｖｓｃｍのレベルを調節し、走査パルスの最低値電位−Ｖｙ−Ｖｓｃ１〜−Ｖｙ−Ｖｓｃｍを走査基準電圧−Ｖｓｃ１〜−Ｖｓｃｍ及びリセット期間の最低電圧−Ｖｓｄうよりも低く設定する。これにより正のデータパルスＶａのレベルを低めることができる。
【００８６】
すなわち、サブフィールドに応じて走査基準電圧−Ｖｓｃ１〜−Ｖｓｃｍのレベルを下げ、これによりデータパルスＶａ長を短く設定することにより、低電圧データ駆動を可能とするほか、データドライバＩＣの高耐電圧の要求特性を緩和することが可能である。
【００８７】
一方、図１４及び１５に示すように、好ましくは、走査基準電圧−Ｖｓｃ１〜−Ｖｓｃｍは１フレームを構成するサブフィールドの加重値の大小に応じて調節し、さらに好ましくは、サブフィールドの加重値の大小に比例するように調節する。
【００８８】
すなわち、低階調を表現するサブフィールドにおける走査基準電圧−Ｖｓｃ１〜−Ｖｓｃｍは低くし、高階調を表現するサブフィールドにおける走査基準電圧−Ｖｓｃ１〜−Ｖｓｃｍは高くする。
【００８９】
このようにサブフィールドの加重値の大小に比例して走査基準電圧−Ｖｓｃ１〜−Ｖｓｃｍのレベルを調節することにより、低階調ではアドレス放電の強度を強化して以降の維持放電の不安定性を除去し、一方、高階調ではアドレス放電時の電力消費を低減する。
【００９０】
また、図１２及び１３に示すように、好ましくは、２番目以降のサブフィールドのうち少なくともいずれかのサブフィールドのリセット期間中に走査電極Ｙ１〜Ｙｎに印加されるリセット波形として立下りランプパルスを印加する。
【００９１】
このように、リセット波形として立下りランプパルスを用いることにより、プラズマ表示装置のコントラスト比を向上させる。、すなわち２番目以降のサブフィールドにおいては、放電空間における壁電荷の分布が比較的安定していることを考慮に入れ、強放電を引き起こす可能性がある立上りランプパルスの使用をなるべく抑制することにより、プラズマ表示装置のコントラスト比を向上させるる。
【００９２】
一方、維持電極Ｚには、セットダウン期間とアドレス期間中に、走査電極Ｙ１〜Ｙｎとの電圧差を減らして走査電極Ｙ１〜Ｙｎとの間で生じる誤放電を抑えるために、正のＺ−バイアス電圧Ｖｚｂが供給される。
【００９３】
次に、維持期間中に、走査電極Ｙ１〜Ｙｎと維持電極Ｚに維持基準電圧ＧＮＤから維持電圧Ｖｓに上がる維持パルスが交互に印加される。アドレス放電によって選択されたセルでは、セル内の壁電圧と維持パルスが加えられることにより、各維持パルスが印加される度に走査電極Ｙ１〜Ｙｎと維持電極Ｚとの間で維持放電、すなわち表示放電が起こる。
【００９４】
かくして、１サブフィールドにおける本発明の第２の実施例に係るプラズマディスプレイ装置の駆動プロセルが完了する。
【００９５】
本発明の第２の実施例に係るプラズマディスプレイ装置によれば、上記の如くアドレス期間中に走査電極Ｙ１〜Ｙｎに印加される走査基準電圧−Ｖｓｃ１〜−Ｖｓｃｍのレベルを調整してデータパルスのレベルを低めることにより、駆動効率を向上させることができる。
【図面の簡単な説明】
【００９６】
【図１】一般的なプラズマディスプレイパネルの構造を示す斜視図である。
【図２】従来のプラズマディスプレイパネルの画像階調を具現する方法を示す図である。
【図３】従来のプラズマディスプレイ装置の駆動波形を示す図である。
【図４】本発明の第１の実施例に係るプラズマディスプレイ装置を示す図である。
【図５】本発明の第１の実施例に係る駆動波形を示す図である。
【図６】本発明の第１の実施例に係る駆動波形を示す図である
【図７】本発明の第１の実施例に係る駆動波形を示す図である
【図８】本発明の第１の実施例に係る駆動波形を示す図である
【図９】図９は本発明の第２の実施例に係るプラズマディスプレイ装置を示す図である。
【図１０】本発明の第２の実施例に係る駆動波形を示す図である。
【図１１】本発明の第２の実施例に係る駆動波形を示す図である。
【図１２】本発明の第２の実施例に係る駆動波形を示す図である。
【図１３】本発明の第２の実施例に係る駆動波形を示す図である。
【図１４】本発明の第２の実施例に係る駆動波形を示す図である。
【図１５】本発明の第２の実施例に係る駆動波形を示す図である。
【図１】
2006293300.tif 000003
【図２】
2006293300.tif 000004
【図３】
2006293300.tif 000005
【図４】
2006293300.tif 000006
【図５】
2006293300.tif 000007
【図６】
2006293300.tif 000008
【図７】
2006293300.tif 000009
【図８】
2006293300.tif 000010
【図９】
2006293300.tif 000011
【図１０】
2006293300.tif 000012
【図１１】
2006293300.tif 000013
【図１２】
2006293300.tif 000014
【図１３】
2006293300.tif 000015
【図１４】
2006293300.tif 000016
【図１５】
2006293300.tif 000017